(57)【要約】【課題】被服に施された正規ブランドを明確に認識することにより、正規ブランドと偽造ブランドと容易に識別することができるブランドの識別方法を提供すること。【解決手段】正規ブランドが施された被服の一部に、透明性を有する蛍光塗料を付着させ、又は、刺繍糸自体に付着させ、該通孔蛍光塗料の付着箇所にブラックライトを照射させて蛍光塗料を浮き出させることにより、正規ブランドと偽造ブランドとを識別するブランドの識別方法。【選択図】　図１
2004092009.tif 000002
【特許請求の範囲】
【請求項１】
正規ブランドが施された被服の一部に、透明性を有する蛍光塗料を付着させ、該蛍光塗料の付着箇所にブラックライトを照射させて蛍光塗料を浮き出させることにより、正規ブランドと偽造ブランドとを識別することを特徴とするブランドの識別方法。
【請求項２】
前記蛍光塗料をブランド装着部に付着させる請求項１記載のブランドの識別方法。
【発明の詳細な説明】
【０００１】
【発明の属する技術分野】
本発明は、被服に施された正規ブランドを、容易に、且つ確実に偽造ブランドと識別することがブランドの識別方法に関する。
【０００２】
【従来の技術】
従来より、シャツやジャケット、またバッグやネクタイ等からなる被服には、様々なブランドが施されている。それらのブランドは、刺繍やプリント等により被服の一部に施され、他の商品との比較を著している。
【０００３】
通常、海外もしくは国内の著名なブランドを被服に施す場合にはブランド所有者に承諾を受け、契約金や使用料を支払いながら製造販売している。特に、人気のブランドを施すことにより品質の信頼性と高級感が得られるため、商品価値が向上すると言うメリットが得られる。
【０００４】
【発明が解決しようとする課題】
しかし従来より、正式なルートを経ずに、著名なブランドを真似して被服に施した偽造のブランド商品が氾濫している。かかる偽造ブランドの商品は、契約金や使用料を支払わず粗悪な商品を低廉価で販売してしまうため、流通機構の悪化を招くと言う問題があった。
【０００５】
また、加工技術が向上した近日においては、偽造ブランドの性能が高くなり、正規ブランドと偽造ブランドとを識別することは、専門家においても非常に困難であった。
【０００６】
そこで本発明は上記の点に鑑み、被服に施された正規ブランドを明確に確認することにより、正規ブランドと偽造ブランドとを容易に識別することが出来るブランドの識別方法を提供することにある。
【０００７】
【課題を解決するための手段】
上記課題を達成するために、本発明の識別方法は、正規ブランドが施された被服の一部に、透明性を有する蛍光塗料を付着させ、該蛍光塗料の付着箇所にブラックライトを照射させて蛍光塗料を浮き出させることにより、正規ブランドと偽造ブランドとを識別する。
【０００８】
そのため、予め蛍光塗料を付着させた箇所にブラックライトを照射させることにより、蛍光塗料が白く浮き出るため、正規ブランドが明確に確認でき、偽造ブランドとの識別を容易に行うことが出来る。
【０００９】
また、前記蛍光塗料をブランド装着部に付着させることにより、識別作業をより一層迅速化させることが出来る。
【００１０】
【発明の実地の形態】
本発明のブランドの識別方法を図面に基づいて説明する。
【００１１】
本発明のブランドの識別方法は、正規ブランドが施された被服の一部に、透明性を有する蛍光塗料を付着させ、該蛍光塗料の付着箇所にブラックライトを照射させて蛍光塗料を浮き出させることにより、正規ブランドと偽造ブランドとを識別することを特徴とする。
【００１２】
識別方法としては、図１に示すように、先ず、正規ブランドａを施したシャツやジャケット、またバッグやネクタイ等からなる被服１（図面においてはポロシャツ）の任意箇所に、透明性を有する蛍光塗料２を付着させる。前記蛍光塗料２は、特定波長のブラックライト３を照射させることにより、幻想的に白色に発光する周知の蛍光剤を、透過性を有する状態に配合させて形成される。
【００１３】
付着方法としては、特に限定されたものではないが、コストや作業性を考慮した場合、吸水性及び緩衝性を有する部材に蛍光塗料２を吸収させ、スタンプ状に軽く押圧させて付着させることが好ましい。また刺繍を施す前の糸の状態で、糸に直接、蛍光塗料を付着させ、その糸で刺繍を施すことが好ましい。
【００１４】
前記ブラックライト３は，可視光線をほとんど出さない、特定波長３６０ナノメートル前後の近紫外線を出す周知のライトであり、複写機の光源をはじめとして、計器盤照明や舞台照明等に幅広く使用されている。
【００１５】
かかるブラックライト３を携帯状に、もしくは装置状に形成し、スイッチを入力して被服１の蛍光塗料２を付着させた箇所に照射させる。すると、予め蛍光塗料２を施した正規ブランドの被服１においては、図５に示すように、蛍光塗料２が幻想的に白色に発光する。そのため、蛍光塗料２を施さない偽造ブランドの被服と明確に識別することが出来る。
また、刺繍を施す前の糸の状態で、蛍光塗料を付着させる。これは市販の糸で加工可能である。その蛍光塗料を付着させた糸でブランドネームやマークなどを刺繍することにより、見た目は図６のｂ・ｃのように同色に見えるが、前期ブラックライト３を照射させると図７に示すように、ｂの文字だけが白色に発光し、ｃの文字は蛍光塗料を付着させていないため発光しない。またｂ・ｃを両方発光させることも可能。そのため、刺繍糸に蛍光塗料を施していない偽造ブランドはｂ・ｃどちらの刺繍部分も発光しないため明確に正規ブランドと偽造ブランドを識別することが出来る。
【００１６】
また、蛍光塗料２を付着させる箇所は、図２に示すように、基布６の上面であれば特に限定されたものではないが、好ましくは図３及び図４に示すように、刺繍５等を施したブランド装着部４とすることにより、識別作業をより一層迅速化させることが出来る。
【００１７】
【発明の効果】
以上説明してきたように、本発明のブランド識別方法は、上記の構成とすることで以下に示す効果を奏するものである。
【００１８】
正規ブランドが施された被服の一部に、透明性を有する蛍光塗料を付着させ、又は、付着させた糸で刺繍を施し、該蛍光塗料の付着箇所にブラックライトを照射させて蛍光塗料を浮き出させる識別方法のため、正規ブランドと偽造ブランドを容易に、且つ明確に行うことが出来る。
【００１９】
また、前記蛍光塗料をブランド装着部に付着させることにより、識別作業をより一層迅速化させることが出来る。
【図面の簡単な説明】
【図１】本発明のブランドの識別方法における蛍光塗料を施した被服の正面図である。
【図２】基布に蛍光塗料を施した状態の拡大断面図である。
【図３】ブランド装着部に蛍光塗料を施した状態の拡大断面図である。
【図４】蛍光塗料を施した状態のブランド装着部の正面図である。
【図５】前記ブランド装着部にブラックライトを照射させた状態である。
【図６】蛍光塗料を施した糸で刺繍を施したブランドネームマーク装着の正面図である。
【図７】前記図６で蛍光塗料を施したブランド装着部にブラックライトを照射させた状態である。
【符号の説明】
１・・・被服
２・・・蛍光塗料
３・・・ブラックライト
４・・・ブランド装着部
５・・・刺繍
６・・・基布
ａ・・・正規ブランド
ｂ・・・蛍光塗料を付着させた糸での刺繍
ｃ・・・蛍光塗料を付着させていない糸での刺繍
【図１】
2004092009.tif 000003
【図２】
2004092009.tif 000004
【図３】
2004092009.tif 000005
【図４】
2004092009.tif 000006
【図５】
2004092009.tif 000007
【図６】
2004092009.tif 000008
【図７】
2004092009.tif 000009